(57)【特許請求の範囲】
【請求項１】
硬質焼結合金において、
８〜２０重量％（以下％は重量％）のＳｉ、
３〜７％のＢ、
２１〜７０％のＭｏ、
２〜３５％のＣｒ、
残部が１０％以上のＦｅ、
並びにＡｌ、Ｍｇ、Ｐ、Ｓ、Ｎ、Ｏ及びＣの不可避的不純物を含むことを特徴とする、溶融アルミニウムに対する耐食性および耐熱衝撃性に優れた硬質焼結合金。
【請求項２】
前記硬質焼結合金に含有されるＭｏ含有量の一部を、全組成に対して１〜５０％のＷで置換してなることを特徴とする、請求項１に記載の硬質焼結合金。
【請求項３】
前記硬質焼結合金に含有されるＭｏ含有量の一部を、Ｎｂ、Ｔａ、Ｔｉ、Ｚｒのいずれか１種以上と全組成に対して０．５〜２０％の含有量で置換してなることを特徴とする、請求項１に記載の硬質焼結合金。
【請求項４】
前記硬質焼結合金に含有されるＭｏ含有量およびＷ含有量の一部を、Ｎｂ、Ｔａ、Ｔｉ、Ｚｒのいずれか１種以上と全組成に対して０．５〜２０％の含有量で置換してなることを特徴とする、請求項１に記載の硬質焼結合金。
【請求項５】
前記硬質焼結合金に含有されるＦｅ含有量の一部を、Ｎｉ、Ｃｏのいずれか１種以上と全組成に対して０．５〜１０％の含有量で置換してなることを特徴とする、請求項１〜４のいずれかに記載の硬質焼結合金。
【請求項６】
前記硬質焼結合金に含有されるＣｒ含有量の一部を、全組成に対して０．５〜１０％のＶで置換してなることを特徴とする、請求項１〜４のいずれかに記載の硬質焼結合金。
【請求項７】
前記硬質焼結合金の全組成の一部を０．１〜８％のＭｎで置換してなることを特徴とする、請求項１〜６のいずれかに記載の硬質焼結合金。
【請求項８】
請求項１〜７のいずれかに記載の硬質焼結合金を用いた溶融アルミニウム用部材。
【請求項９】
Ｓｉ、Ｍｏ、Ｃｒ、Ｆｅの１種又は２種以上の元素とＢとの合金からなる粉末、
またはＢ単体とＳｉ、Ｍｏ、Ｃｒ、Ｆｅの単体粉末、
またはＢ単体とこれらの１種又は２種以上の合金からなる粉末を、
所定の合金組成となるように配合し、
湿式粉砕後、造粒、成形、非酸化雰囲気で液相焼結し、
焼結後の合金組成が、
８〜２０重量％（以下％は重量％）のＳｉ、
３〜７％のＢ、２１〜７０％のＭｏ、２〜３５％のＣｒ、残部が１０％以上のＦｅおよび不可避的不純物を含むことを特徴とする、溶融アルミニウムに対する耐食性および耐熱衝撃性に優れた硬質焼結合金の製造方法。
【発明の詳細な説明】
【０００１】
【発明の属する技術分野】
本発明は、Ｍｏ、Ｆｅ、Ｃｒ、Ｂからなる硬質焼結合金に関し、特に溶融金属に対する耐食性および耐熱衝撃性に優れた硬質焼結合金、およびその合金を用いた溶融金属用部材に関する。
【０００２】
【従来の技術】
ダイカストなど、溶融金属、特にアルミニウムの鋳造に用いられる金型などの部材は、高温の溶融金属に対する耐食性が求められる。従来このようなダイカスト用の金型などの部材として、ＳＫＤ６１などの熱間工具鋼に窒化処理を施した材料が使用されているが、窒化層は１００μｍ程度と薄く、長期間にわたって十分な耐食性を保持することは極めて困難である。このような材料を例えばアルミニウムダイカストのスリーブとして用いた場合、短期間の使用で腐食してしまうために、スリーブを頻繁に取り替えなくてはならず、ランニングコストが上昇することに加えて、連続作業の生産性が著しく低下してしまう。
【０００３】
このため、Ｓｉ３Ｎ４やサイアロンなどの、耐食性に優れ、常温および高温において高い硬度を有するセラミックス材料の使用が試みられている。しかし、セラミックス材料は製造コストが高いことに加えて被加工性に乏しく、必要以上に高硬度であるために、プランジャーチップのような低硬度の材料と摺動するような用途に使用した場合、相手の材料を摩耗させる欠点も有している。また、セラミックス材料の場合、繰返し使用による熱応力のために亀裂が生じやすい問題がある。
【０００４】
近年、溶融アルミニウムなどの溶融金属に対する耐食性の観点からのみならず、セラミックス材料よりも優れた耐熱衝撃性を有する材料として、Ｎｉ基の結合相を有する３元系複硼素化物が提案（例えば特開平２−２９９７４０号公報、特開平５−３２０８１６号公報）されている。しかしながら、Ｎｉ基の結合相は高温特性には優れているものの、溶融アルミニウムに対しては、浸食されたり、相手材と凝着するなど、耐食性が十分ではない。
【０００５】
【発明が解決しようとする課題】
本発明は、硼化物系焼結合金が有する耐摩耗性および高強度を維持しながら、溶融金属に対する耐食性および耐熱衝撃性に極めて優れた硬質焼結合金、およびその合金を用いた溶融金属用部材を提供することを目的とする。
【０００６】
【課題を解決するための手段】
本発明の硬質焼結合金は、以下の特徴を有する。
（１）溶融アルミニウムに対する耐食性および耐熱衝撃性に優れた硬質焼結合金において、
８〜２０重量％（以下％は重量％）のＳｉ、
３〜７％のＢ、
２１〜７０％のＭｏ、
２〜３５％のＣｒ、
残部が１０％以上のＦｅ、
並びにＡｌ、Ｍｇ、Ｐ、Ｓ、Ｎ、Ｏ及びＣの不可避的不純物を含むことを特徴とする。
（２）前記（１）において、硬質焼結合金に含有されるＭｏ含有量の一部を、全組成に対して１〜５０％のＷで置換してなることを特徴とする。
（３）前記（１）において、硬質焼結合金に含有されるＭｏ含有量の一部を、Ｎｂ、Ｔａ、Ｔｉ、Ｚｒのいずれか１種以上と全組成に対して０．５〜２０％の含有量で置換してなることを特徴とする。
（４）前記（１）において、硬質焼結合金に含有されるＭｏ含有量およびＷ含有量の一部を、Ｎｂ、Ｔａ、Ｔｉ、Ｚｒのいずれか１種以上と全組成に対して０．５〜２０％の含有量で置換してなることを特徴とする。
（５）前記（１）〜（４）のいずれかにおいて、硬質焼結合金に含有されるＦｅ含有量の一部を、Ｎｉ、Ｃｏのいずれか１種以上と全組成に対して０．５〜１０％の含有量で置換してなることを特徴とする。
（６）前記（１）〜（４）のいずれかにおいて、硬質焼結合金に含有されるＣｒ含有量の一部を、全組成に対して０．５〜１０％のＶで置換してなることを特徴とする。
（７）前記（１）〜（６）のいずれかにおいて、硬質焼結合金の全組成の一部を０．１〜８％のＭｎで置換してなることを特徴とする。
（８）本発明の溶融アルミニウム用部材は、前記（１）〜（７）のいずれか記載の硬質焼結合金を用いたことを特徴とする。
（９）本発明の溶融アルミニウムに対する耐食性および耐熱衝撃性に優れた硬質焼結合金の製造方法は、
Ｓｉ、Ｍｏ、Ｃｒ、Ｆｅの１種又は２種以上の元素とＢとの合金からなる粉末、
またはＢ単体とＳｉ、Ｍｏ、Ｃｒ、Ｆｅの単体粉末、
またはＢ単体とこれらの１種又は２種以上の合金からなる粉末を、
所定の合金組成となるように配合し、
湿式粉砕後、造粒、成形、非酸化雰囲気で液相焼結し、
焼結後の合金組成が、
８〜２０重量％（以下％は重量％）のＳｉ、
３〜７％のＢ、２１〜７０％のＭｏ、２〜３５％のＣｒ、残部が１０％以上のＦｅおよび不可避的不純物を含むことを特徴とする。
【０００７】
【発明の実施の形態】
本発明においては、Ｍｏ、Ｆｅ、Ｃｒ、Ｂからなる硬質焼結合金のＢ、Ｍｏ、Ｃｒの含有量を一定範囲内に限定して、微細な複硼化物とＦｅ基の結合相との２相からなる、溶融金属に対して優れた耐食性および耐熱衝撃性を有する硬質焼結合金において、Ｓｉを含有させることにより、溶融金属、特に溶融アルミニウムに対する耐食性および耐熱衝撃性に対してさらに優れた硬質焼結合金が得られる。また、硬質合金中にＷを含有させることにより、耐酸化性、耐摩耗性、耐溶損性、および機械的特性が向上する。さらに、Ｎｂ、Ｔａ、Ｔｉ、Ｚｒを含有させることにより、耐摩耗性、耐溶損性、および機械的特性が向上し、Ｎｉおよび／またはＣｏを含有させることにより、高温強度および耐熱衝撃性がさらに向上し、Ｖを含有させることにより、耐摩耗性がさらに向上する。またさらに、Ｍｎを含有させることにより、耐摩耗性、および機械的特性がさらに向上する。
【０００８】
以下に、本発明を詳細に説明する。
本発明者らは高強度を有するＭｏ、Ｆｅ、Ｃｒ、ＢからなるＭｏ2ＦｅＢ2型複硼化物系硬質焼結合金において、溶融アルミニウムに対して優れた耐食性を示す合金を種々検討した結果、Ｍｏ2ＦｅＢ2型複硼化物系硬質焼結合金中のＦｅ基結合相が溶融アルミニウムと反応して、優先的に腐食が進行することを突き止めた。そこで種々実験した結果、Ｍｏ2ＦｅＢ2型複硼化物系硬質焼結合金にさらにＳｉを含有させることにより、溶融アルミニウムに対して極めて優れた耐食性を示すことを見いだした。これはＳｉが結合相中のＦｅと金属間化合物を形成することによりＦｅの溶融アルミニウム中への溶解が抑制されることに加え、Ｓｉの一部が酸化物を形成して保護膜となり、合金の耐食性を改善する効果が発現するためと推察される。
本発明においてはＳｉは１〜２０％含有させることが必要である。Ｓｉ含有量が１％未満の場合は特性の改善効果が不十分であり、２０％を超えて含有させると合金の耐熱衝撃性および強度が著しく低下する。よってＳｉ含有量は１〜２０％に限定する。
【０００９】
Ｂは本発明の硬質合金の硬質相となる複硼化物を形成させるために不可欠な元素である。Ｂ含有量が３％未満であると、硬質合金の硬質相の割合が３５％を下回り、耐食性に乏しくなる。一方、７％を超えると硬質相の割合が９５％を上回り、強度および耐熱衝撃性が低下する。よってＢ含有量は３〜７％に限定する。
【００１０】
ＭｏはＢと同様に複硼化物を形成させるために不可欠な元素であり、一部は硬質合金の結合相中に固溶して、結合相の溶融金属に対する耐食性を著しく向上させる。しかし適正な量（７０％）を超えて含有させるとＭ６Ｃ型炭化物などの金属間化合物が形成して強度が低下する。一方、含有量が２１％未満の場合は耐摩耗性および耐食性が低下することに加え、Ｆｅ２Ｂなどの Ｆｅ硼化物が形成するために強度が低下する。よってＭｏ含有量は２１〜７０％に限定する。
【００１１】
Ｃｒは硬質相中だけではなく結合相中にも均一に固溶して、機械的特性を向上させるばかりでなく、硬質合金の溶融金属に対する耐食性に加えて、耐酸化性を著しく向上させる。しかし３５％を超えて含有させるとＭ３Ｃ２型や Ｍ６Ｃ型炭化物などの金属間化合物が形成して強度が低下する。一方、含有量が２％未満になると硬質合金の耐食性および耐酸化性の向上効果が認められない。よってＣｒ含有量は２〜３５％に限定する。
【００１２】
ＷはＭｏと置換させることが可能な元素であり、硬質合金の強度を向上させる効果も有している。しかしＭｏとの置換量が全組成に対して１％未満であるとその効果は認められない。一方、Ｍｏと全組成に対して５０％を超えて置換してもその効果が認められなくなるばかりでなく、硬質合金の比重が高まり製品重量が増大する。したがってＭｏに対するＷの置換量は全組成に対して１〜５０％に限定する。
【００１３】
Ｎｂ、Ｔａ、Ｔｉ、ＺｒはＭｏおよびＷと置換させることが可能な元素であり、複硼化物に固溶するとともに、一部は他の硬質粒子（硼化物、酸化物、炭化物、および窒化物）を形成し、耐摩耗性、機械的特性を向上させるばかりでなく、溶融金属に対する耐食性を改善する効果を示す。Ｍｏに対する置換量、またはＭｏとＷに対する置換量が全組成に対して ０.５％未満であるとその効果は顕著に認められない。一方、全組成に対して２０％を超えて置換すると硬質合金の焼結性が低下し強度の低下を招くばかりでなく、これらの元素は高価であるためコストの上昇を招く。しかしこれらの元素を２種以上複合含有させても単独で含有させた場合と同様な効果が得られる。よってＭｏ、またはＭｏとＷに対するＮｂ、Ｔａ、ＴｉまたはＺｒの置換量は全組成に対して ０.５〜２０％に限定する。
【００１４】
ＮｉおよびＣｏはＦｅ基の結合相中に固溶することにより硬質合金の高温特性を高め、熱衝撃性を向上させる。Ｆｅに対する置換量が全組成に対して ０.５％未満であるとその効果は顕著に認められない。一方、全組成に対して１０％を超えて置換してもその効果の向上があまり認められなくなるばかりでなく、溶融金属に対する耐食性が低下する。よってＦｅに対するＮｉまたはＣｏ、もしくはＮｉとＣｏの置換量は全組成に対して ０.５〜１０％に限定する。
【００１５】
ＶはＣｒと置換させることが可能な元素であり、硬質合金中に少量含有させるだけで硬度および強度を上昇させるのみならず、耐食性も向上させる。Ｃｒとの置換量が全組成に対して ０.５％未満の場合は機械的特性の向上があまり認められず、一方全組成に対して１０％を超えて置換すると耐酸化性が低下する。よってＣｒに対するＶの置換量は全組成に対して ０.５〜１０％に限定する。
【００１６】
Ｍｎは本発明の合金の全組成と置換させることが可能な元素であり、複硼化物の粒成長を抑制し合金組織を微細化させることにより、硬質合金の耐摩耗性、および機械的特性を大幅に向上させる。また、Ｍｎを含有させることにより、焼結性が著しく向上し、焼結時に型崩れの少ない良好な形状の焼結体が得られ、ニヤネット化が図られる効果を示す。置換量が ０.１％未満では特性改善効果が認められず、８％を超えて含有させると機械的特性が低下する。よってＭｎの置換量は ０.１〜８％ に限定する。
【００１７】
本発明の硬質合金は上記の成分元素のほか、残部がＦｅで構成される。Ｆｅは複硼化物を形成させるために必要不可欠であるばかりでなく、結合相を構成する元素である。本発明の硬質合金においては、Ｆｅの含有量が１０％未満であると複硼化物を十分に形成させることができないばかりか、結合相中のＦｅ含有量が不足して強度が低下する。そのため、本発明の硬質合金には、Ｆｅを１０％以上含有させる必要がある。本発明の硬質合金において、Ｆｅ以外の元素の含有量の合計が９０％を超え、Ｆｅを１０％以上含有させることができない場合は、許容範囲内においてＦｅ以外の各元素の含有量を減じて、１０％以上のＦｅを含有させることは言うまでもない。
【００１８】
本発明の硬質合金が含有する不可避的不純物元素の主なものは、Ａｌ、Ｍｇ、Ｐ、Ｓ、Ｎ、Ｏ、Ｃなどであり、硬質合金が強度を発現させるためにはこれらの含有量は極力少なくすることが望ましい。これらの元素の含有量が合計で １.５％以下であれば、強度に与える影響は比較的小さい。
【００１９】
次に、本発明の硬質合金の製造方法について説明する。
本発明の硬質合金は、Ｆｅ、Ｍｏ、Ｃｒ、Ｓｉ、Ｗ、Ｖ、Ｃｏ、Ｎｉ、Ｔｉ、Ｚｒ、Ｎｂ、Ｔａ、Ｍｎの１種または２種以上の元素とＢとの合金からなる粉末、またはＢ単体とＦｅ、Ｍｏ、Ｃｒ、Ｓｉ、Ｗ、Ｖ、Ｃｏ、Ｎｉ、Ｔｉ、Ｚｒ、Ｎｂ、Ｔａ、Ｍｎの単体粉末、またはＢ単体とこれらの１種または２種以上の合金からなる粉末を所定の合金組成となるように配合し、振動ボールミルなどを用いて有機溶媒中で湿式粉砕後、造粒、成形し、該成形体を真空中、還元ガス中、または不活性ガス中などの非酸化性雰囲気中で液相焼結することにより製造される。
なお、本発明の硬質合金の硬質相となる複硼化物は、上記の原料粉末が焼結中に反応することによって形成されるが、あらかじめＭｏおよびＦｅの硼化物、またはＢ単体の粉末とＭｏおよびＦｅの金属粉末を炉中で反応させることにより、Ｍｏ２ＦｅＢ２型の複硼化物を製造し、さらに結合組成のＦｅ、Ｍｏ、Ｎｉ、Ｃｏの金属粉末を所定の合金組成となるように配合した粉末を用いても差し支えない。
【００２０】
液相焼結は通常１３７３〜１６７３Ｋの焼結温度で５〜９０分間行う。焼結温度が１３７３Ｋ未満の場合は液相が十分に出現せず、空孔の多い焼結体が得られ、十分な強度が得られない。一方、焼結温度が１６７３Ｋを超えると液相は十分に出現するものの、結晶粒が粗大化し、強度が低下する。また焼結時間が５分未満の場合は元素の拡散が十分ではなく、十分に高密度化しない。一方、９０分を超えて焼結してもそれ以上の強度上昇は認められず、場合によっては強度が低下することもある。以上のような液相が出現する焼結条件で焼結することにより、空孔が消失し、ほぼ１００％の密度の硬質合金が得られる。液相を出現させずに空孔を消失させる方法として、熱間静水圧プレス法、ホットプレス法、通電焼結法などがあり、これらの方法を用いても空孔を消失させることができる。またこれら方法と液相焼結法を併用してもよい。
【００２１】
上記のようにして得られる本発明の硬質合金は、焼結体単体としてのみ用いられるばかりでなく、鋼材と接合させて複合材として用いることも可能である。すなわち、本発明の硬質合金は、超硬合金を鋼材にロウ付けして使用するばかりでなく、ロウ材を使用することなく直接鋼材と接合させることも可能であり、強固な接着が得られる。また、焼結と鋼材を同時に接合する焼結接合法を適用することも可能であり、鋼材は熱ダメージによる強度低下を招来することなく、複合材料を製造することが可能である。したがって、本発明の硬質合金を用いた複合材料をアルミニウムなどの溶融金属のダイカスト金型などの鋳造用部材に用いた場合、溶融金属に対して耐食性および耐摩耗性が必要とされる部分にのみ、本発明の硬質合金を必要最小限に用いることにより、金型などの部材を低価格で製造することが可能となる。
【００２２】
【実施例】
以下、実施例を示し、本発明を具体的に説明する。
（実施例）
表１〜７に示すＢ粉末及び金属粉末を表１〜７に示す配合比で配合した後、振動ボールミルを用いてアセトン中で３０時間、湿式混合粉砕した。ボールミルで粉砕した後の粉末を乾燥、造粒し、得られた微粉末を所定の形状にプレス成形した後、真空度：≦１.３Ｐａ の真空中で１０Ｋ／分の昇温速度で加熱し、１３７３〜１６７３Ｋの温度で３０分間均熱した後、炉冷し、焼結合金を得た。
【００２３】
【表１】
0004265853.tif 000002
【００２４】
【表２】
0004265853.tif 000003
【００２５】
【表３】
0004265853.tif 000004
【００２６】
【表４】
0004265853.tif 000005
【００２７】
【表５】
0004265853.tif 000006
【００２８】
【表６】
0004265853.tif 000007
【００２９】
【表７】
0004265853.tif 000008
【００３０】
[特性評価]
上記のようにして得られた表１〜７に示した焼結合金の耐食性、および耐熱衝撃性を、以下のようにして評価した。
強度
焼結材から試験片を切り出し、ＪＩＳ Ｈ ５５０１に基づいて抗折力（３点曲げ試験）を測定した。抗折力が大きいほど強度が優れており、１.０ＧＰａ 以上を本発明の対象とする。結果を表８〜１４に示す。表中 *を附したものは、特定元素を必要以上に添加しても効果の向上効果が認められないものを指す。
【００３１】
耐食性
焼結材を１０ｍｍ×１０ｍｍ×１００ｍｍの大きさに加工し試験片とし、この試験片を７２０℃で加熱溶融したアルミニウム（ダイカスト用アルミニウム合金：ＪＩＳ−ＡＤＣ１０）中に６時間浸漬した後試料の長手方向に垂直な断面で切り出し、断面を光学顕微鏡で観察し、試験片が溶融アルミニウムにより表面から侵食された深さを測定した。侵食深さが小さいほど耐食性が優れており、２００μｍ未満を本発明の対象とする。結果を表８〜１４に示す。表中で #を附したものは、特定元素を必要以上に添加しても効果の向上効果が認められないものを指す。
【００３２】
耐熱衝撃性
焼結材を１０ｍｍ×１０ｍｍ×１００ｍｍの大きさに切削加工し、これに０．５ｍｍ巾の切り込みを５ｍｍ入れ試験片とした。この試験片を５００℃で大気中加熱し、水中に投入した後に発生するクラックの発生の有無を肉眼観察し、熱衝撃性を評価した。結果を表８〜１４に示す。
【００３３】
【表８】
0004265853.tif 000009
【００３４】
【表９】
0004265853.tif 000010
【００３５】
【表１０】
0004265853.tif 000011
【００３６】
【表１１】
0004265853.tif 000012
【００３７】
【表１２】
0004265853.tif 000013
【００３８】
【表１３】
0004265853.tif 000014
【００３９】
【表１４】
0004265853.tif 000015
【００４０】
表８〜１４に示すように、本発明の焼結合金は耐食性および耐熱衝撃性に優れている。
【００４１】
次いで表１〜７の試料番号３、２１、４１、７２、９２の組成の焼結合金を用いてアルミダイカストのスリーブを作成し、ダイカスト用アルミニウム合金：ＪＩＳ−ＡＤＣ１０を用いて毎日８時間、ダイカスト作業を実施したが、３ヶ月経過してもいずれのスリーブも取り替えるほどの腐食は認められず、良好な耐食性および耐熱衝撃性を示した。
【００４２】
【発明の効果】
本発明は、Ｍｏ、Ｆｅ、Ｃｒ、Ｂ、およびさらにＳｉを含有させ、Ｂ、Ｍｏ、Ｃｒの含有量を一定範囲内に限定することにより、微細な複硼化物とＦｅ基の結合相との２相からなる硬質焼結合金、またはさらにＷ、Ｎｂ、Ｔａ、Ｔｉ、Ｚｒ、Ｎｉおよび／またはＣｏ、Ｖ、Ｍｎなどを適宜含有させることにより、溶融金属に対して優れた耐食性および耐熱衝撃性を有し、さらにまた耐酸化性、耐摩耗性、および機械的特性が改善された硬質焼結合金である。本発明の焼結合金を用いて作成したアルミニウムダイカスト用スリーブは、良好な耐食性を示し、長期間使用しても交換する必要がない。